(57)【要約】【課題】自動運転中において運転者に手動運転を開始させる場合に、携帯端末に意識を集中させている運転者が手動運転の開始をしなければならない状況であることを気付き易い警報装置、警報システム及び携帯端末を提供する。【解決手段】自動転を行う車両の運転者が運転席で使用する携帯端末と通信可能に構成され、携帯端末を用いて運転者に警報を行う車両の警報装置であって、自動運転中に、車両の位置情報及び地図情報、又は、車両の周辺環境情報に基づいて、車両から自動運転の終了位置までの距離又は到達時間が所定値以下であるか否かを判定する判定部と、判定部により、車両から自動運転の終了位置までの距離又は到達時間が所定値以下であると判定された場合に、運転者に手動運転を開始させるための警報情報を、コンテンツを表示している携帯端末の画面にコンテンツとともに表示させる警報部とを備える。【選択図】図４
2018132533.tif 000002
【特許請求の範囲】
【請求項１】
自動運転を行う車両の運転者が運転席で使用する携帯端末と通信可能に構成され、前記携帯端末を用いて前記運転者に警報を行う前記車両の警報装置であって、
自動運転中に、前記車両の位置情報及び地図情報、又は、前記車両の周辺環境情報に基づいて、前記車両から前記自動運転の終了位置までの距離又は到達時間が所定値以下であるか否かを判定する判定部と、
前記判定部により、前記車両から前記自動運転の終了位置までの距離又は到達時間が前記所定値以下であると判定された場合に、前記運転者に手動運転を開始させるための警報情報を、コンテンツを表示している前記携帯端末の画面に前記コンテンツとともに表示させる警報部と、
を備える警報装置。
【請求項２】
前記警報部は、前記車両から前記自動運転の終了位置までの距離又は到達時間が短くなるほど表示度合いが大きくなるように前記警報情報を、前記コンテンツを表示している前記携帯端末の画面に前記コンテンツとともに表示させる請求項１に記載の警報装置。
【請求項３】
前記警報部は、前記車両から前記自動運転の終了位置までの距離又は到達時間が前記所定値によりも小さい所定距離又は所定時間以下である場合には、前記コンテンツの表示を終了させる請求項１に記載の警報装置。
【請求項４】
前記運転者が手動運転を開始したか否かを判定する手動運転判定部を備え、
前記警報部は、前記手動運転判定部により前記運転者が手動運転を開始したと判定された場合には、前記携帯端末の前記コンテンツの表示を再開させる請求項３に記載の警報装置。
【請求項５】
前記警報部は、前記警報情報が前記携帯端末の画面の一部を占有するように、前記警報情報を前記コンテンツに重畳させて表示する請求項１〜４の何れか一項に記載の警報装置。
【請求項６】
自動運転を行う車両の運転者が運転席で使用する携帯端末と、前記携帯端末と通信可能に構成され、前記携帯端末を用いて前記運転者に警報を行う前記車両の警報装置と、を備える警報システムであって、
自動運転中に、前記車両の位置情報及び地図情報、又は、前記車両の周辺環境情報に基づいて、前記車両から前記自動運転の終了位置までの距離又は到達時間が所定値以下であるか否かを判定する判定部と、
前記判定部により、前記車両から前記自動運転の終了位置までの距離又は到達時間が前記所定値以下であると判定された場合に、前記運転者に手動運転を開始させるための警報情報を、コンテンツを表示している前記携帯端末の画面に前記コンテンツとともに表示させる警報部と、
を有する警報システム。
【請求項７】
自動運転を行う車両と通信可能に構成され、画面を有し、前記車両の運転者が運転席で使用する携帯端末であって、
自動運転中の前記車両との通信を介して、前記車両の位置情報及び地図情報、又は、前記車両の周辺環境情報に基づいて、前記車両から前記自動運転の終了位置までの距離又は到達時間が所定値以下であるか否かを判定する判定部と、
前記判定部により、前記車両から前記自動運転の終了位置までの距離又は到達時間が前記所定値以下であると判定された場合に、前記車両の運転者に手動運転を開始させるための警報情報を、コンテンツを表示している前記画面に前記コンテンツとともに表示させる警報部と、
を備える携帯端末。
【発明の詳細な説明】
【技術分野】
【０００１】
本発明は、警報装置、警報システム及び携帯端末に関する。
【背景技術】
【０００２】
特許文献１には、運転者による手動運転と車載コンピュータによる自動運転とを切換可能な車両が記載されている。この車両は、自動運転中において、ステアリングに備わるタッチセンサの検出結果に基づいて、自動運転から手動運転へ切り換える。さらに、この車両は、車両の自動運転の制御状態をダッシュボードのディスプレイに表示する。
【先行技術文献】
【特許文献】
【０００３】
【特許文献１】ＵＳ特許第８６７０８９１号明細書
【発明の概要】
【発明が解決しようとする課題】
【０００４】
ところで、特許文献１記載の車両のように、自動運転を行う車両では、自動運転の継続ができない状況が発生する場合がある。例えば、自動運転に必要な情報を取得できない場合（例えば車両前方の白線認識ができない場合）又は、自動車専用道路用の自動運転中の車両が自動車専用道路の出口に近づいた場合などには、継続中の自動運転を終了し、手動運転に切り替える必要がある。しかしながら、自動運転中において携帯端末に運転者の意識が集中している場合があり、仮に手動運転を開始させるための警報情報をダッシュボードのディスプレイに表示したとしても、運転者に手動運転を行うことを促すことができないおそれがある。
【０００５】
本発明の種々の側面は、自動運転中において運転者に手動運転を開始させる場合に、携帯端末に意識を集中させている運転者が手動運転の開始をしなければならない状況であることを気付き易い警報装置、警報システム及び携帯端末を提供することを目的とする。
【課題を解決するための手段】
【０００６】
本発明の一側面に係る警報装置は、自動運転を行う車両の運転者が運転席で使用する携帯端末と通信可能に構成され、携帯端末を用いて運転者に警報を行う車両の警報装置であって、自動運転中に、車両の位置情報及び地図情報、又は、車両の周辺環境情報に基づいて、車両から自動運転の終了位置までの距離又は到達時間が所定値以下であるか否かを判定する判定部と、判定部により、車両から自動運転の終了位置までの距離又は到達時間が所定値以下であると判定された場合に、運転者に手動運転を開始させるための警報情報を、コンテンツを表示している携帯端末の画面にコンテンツとともに表示させる警報部とを備える。
【０００７】
本発明の一側面に係る警報装置では、判定部により自動運転の終了位置までの距離又は到達時間が所定値以下であると判定された場合に、警報部により運転者に手動運転を開始させるための警報情報を、コンテンツを表示している携帯端末の画面にコンテンツとともに表示させる。このため、この警報装置は、警報情報をダッシュボード固定のディスプレイなどにのみに表示する場合に比べて、携帯端末に意識を集中させている運転者が手動運転の開始をしなければならない状況であることを気付き易くすることができる。
【０００８】
一実施形態では、警報部は、車両から自動運転の終了位置までの距離又は到達時間が短くなるほど表示度合いが大きくなるように警報情報を携帯端末の画面にコンテンツとともに表示させてもよい。この場合、車両が自動運転の終了位置に近づくに従って警報情報の表示が大きくなる。このため、この警報装置は、携帯端末に意識を集中させている運転者が手動運転の開始をしなければならない状況であることを、車両が自動運転の終了位置へ近づくほど気付き易くすることができる。
【０００９】
一実施形態では、警報部は、車両から自動運転の終了位置までの距離又は到達時間が所定値よりも小さい所定距離又は所定時間以下である場合には、コンテンツの表示を終了させてもよい。
【００１０】
一実施形態では、運転者が手動運転を開始したか否かを判定する手動運転判定部を備え、警報部は、手動運転判定部により運転者が手動運転を開始したと判定された場合には、携帯端末のコンテンツの表示を再開させてもよい。
【００１１】
また、本発明の他の側面に係る警報システムは、自動運転を行う車両の運転者が運転席で使用する携帯端末と、携帯端末と通信可能に構成され、携帯端末を用いて運転者に警報を行う車両の警報装置と、を備える警報システムであって、自動運転中に、車両の位置情報及び地図情報、又は、車両の周辺環境情報に基づいて、車両から自動運転の終了位置までの距離又は到達時間が所定値以下であるか否かを判定する判定部と、判定部により、車両から自動運転の終了位置までの距離又は到達時間が所定値以下であると判定された場合に、運転者に手動運転を開始させるための警報情報を、コンテンツを表示している携帯端末の画面にコンテンツとともに表示させる警報部とを有する。
【００１２】
また、本発明のさらに他の側面に係る携帯端末は、自動運転を行う車両と通信可能に構成され、画面を有し、自動運転を行う車両の運転者が運転席で使用する携帯端末であって、自動運転中の車両との通信を介して、車両の位置情報及び地図情報、又は、車両の周辺環境情報に基づいて、車両から自動運転の終了位置までの距離又は到達時間が所定値以下であるか否かを判定する判定部と、判定部により、車両から自動運転の終了位置までの距離又は到達時間が所定値以下であると判定された場合に、車両の運転者に手動運転を開始させるための警報情報を、コンテンツを表示している画面にコンテンツとともに表示させる警報部とを備える。
【００１３】
上記警報システム及び携帯端末によれば、上述した警報装置と同様に、警報情報をダッシュボード固定のディスプレイなどにのみに表示する場合に比べて、携帯端末に意識を集中させている運転者が手動運転の開始をしなければならない状況であることを気付き易くすることができる。
【発明の効果】
【００１４】
本発明の種々の側面及び実施形態によれば、自動運転中において運転者に手動運転を開始させる場合に、携帯端末に意識を集中させている運転者が手動運転の開始をしなければならない状況であることを気付き易い警報装置、警報システム及び携帯端末を提供することができる。
【図面の簡単な説明】
【００１５】
【図１】図１は、第１実施形態に係る警報システムの構成を示すブロック図である。
【図２】図２は、第１実施形態に係る警報システムが作動する状況を説明する図である。
【図３】図３は、運転者に手動運転を開始させるための警報情報が表示された画面の一例を示す図である。
【図４】図４は、車両から自動運転の終了位置までの距離と、携帯端末の画面に表示される警報情報との関係を説明するための図である。
【図５】図５は、手動運転開始時における警報情報の表示終了を説明するための図である。
【図６】図６は、手動運転が開始されない場合における警報情報の表示終了を説明するための図である。
【図７】図７は、車両から自動運転の終了位置までの距離と、携帯端末の画面に表示される警報情報との関係を説明するための図である。
【図８】図８は、第１実施形態に係る警報システムの警報処理を説明するフローチャートである。
【図９】図９は、第１実施形態に係る警報システムの警報処理を説明するフローチャートである。
【図１０】図１０は、第２実施形態に係る警報システムの構成を示すブロック図である。
【図１１】図１１は、第２実施形態に係る警報システムの警報処理を説明するフローチャートである。
【図１２】図１２は、第２実施形態に係る警報システムの警報処理を説明するフローチャートである。
【発明を実施するための形態】
【００１６】
以下、図面を参照して、本発明の実施形態について説明する。なお、以下の説明において、同一又は相当要素には同一符号を付し、重複する説明を省略する。
【００１７】
［第１実施形態］
図１は、第１実施形態に係る警報システム１の構成を示すブロック図である。図１に示す警報システム１は、例えば、乗用車などの車両２と、車両２の運転者の携帯端末４とが通信して情報のやり取りを行い、携帯端末４を介して車両２の運転者に対して警報を行うシステムである。
【００１８】
車両２は、自動運転ＥＣＵ（Electronic  Control  Unit）２０を搭載している。自動運転ＥＣＵ２０は、ＣＰＵ（Central  Processing  Unit）、ＲＯＭ（Read  Only  Memory）、ＲＡＭ（Random  Access  Memory）などからなる電子制御ユニットである。自動運転ＥＣＵ２０では、ＲＯＭに記憶されているプログラムをＲＡＭにロードし、ＣＰＵで実行することで、各種の車両制御を実行する。自動運転ＥＣＵ２０は、複数の電子制御ユニットから構成されていてもよい。自動運転ＥＣＵ２０は、後述するセンサ類又はナビゲーションシステムに接続されており、後述するセンサ類又はナビゲーションシステムから取得した情報に基づいて車両２の走行を制御する。
【００１９】
自動運転ＥＣＵ２０は、車両２の運転状態を自動運転と手動運転とに切り換える。自動運転とは、例えば、車両２の走行する道路に沿って自動で車両２を走行させる運転状態である。自動運転には、例えば、運転者が運転操作をすることなく、予め設定された目的地に向かって自動で車両２を走行させる運転状態が含まれる。
【００２０】
自動運転は、自動操舵（操舵の自動運転）及び自動速度調整（速度の自動運転）で実現される。自動操舵は、車両２の操舵を自動で制御する運転状態である。本実施形態において、自動操舵とは、例えば、走行車線から逸脱しないように自動で車両２の操舵を行う制御である。運転者がステアリング操作をしない場合であっても、走行車線に沿って自動で車両２の操舵が行なわれる。自動速度調整は、車両２の速度を自動で制御する運転状態である。自動速度調整は、例えば、車両２の前方に先行車が存在しない場合は予め設定された設定速度で車両２を定速走行させる定速制御を行い、車両２の前方に先行車が存在する場合には先行車との車間距離に応じて車両２の車速を調整する追従制御を行う制御である。
【００２１】
手動運転とは、例えば、運転者の運転操作を主体として車両２を走行させる運転状態である。手動運転には、例えば、運転者の運転操作のみに基づいて車両２を走行させる運転状態が含まれる。ここで、本実施形態に係る手動運転には、運転者の運転操作を主体としながら、運転者の運転操作を支援する運転操作支援制御が行なわれる運転状態も含まれる。運転操作支援制御とは、例えば、車両２のカーブ走行時にカーブの曲率に基づいて運転者の操舵が適切な操舵量となるように操舵トルクをアシストする制御である。運転操作支援制御には、例えばステアリングホイールにトルクを付与することにより、運転者の操舵方向が適切な操舵方向となるように誘導する誘導制御も含まれる。運転操作支援制御は、運転者のアクセル操作（例えばアクセルペダルの操作）又はブレーキ操作（例えばブレーキペダルの操作）を支援してもよい。一方、運転操作支援制御には、運転者の運転操作に強制的に介入して、車両２を自動で走行させる制御は含まれない。
【００２２】
自動運転ＥＣＵ２０は、運転者が自動運転開始の操作を行なった場合に、自動運転を開始する。自動運転開始の操作とは、例えば、ステアリングホイールに設けられた自動運転開始のスイッチを押す操作である。自動運転ＥＣＵ２０は、例えば、運転者が自動運転解除の操作を行なった場合に、自動運転を解除する。自動運転解除の操作とは、例えば、ステアリングホイールに設けられた自動運転キャンセルのスイッチを押す操作である。また、自動運転ＥＣＵ２０は、自動運転中に運転者が急なブレーキ操作を行なった場合など、予め設定された自動運転の許容操作量を超える操作量の運転操作が行なわれた場合に、自動運転を解除してもよい。つまり、運転者は、自身の操作（意思）によって、自動運転から手動運転へ切り換えることができる。
【００２３】
さらに、自動運転ＥＣＵ２０は、自動運転中の車両２が自動運転の終了位置に至ったと判定した場合、車両２の運転状態を自動運転から手動運転へ切り換える。自動運転の終了位置とは、車両２の運転状態を自動運転から手動運転に切り換える基準となる位置である。自動運転の終了位置は、例えば、車両２の進路上において、自動運転を継続できる道路環境と自動運転を継続できない道路環境との境界の位置である。つまり、自動運転ＥＣＵ２０は、自動運転を継続できないときには、自動的に（運転者の許可・不許可を必要とせずに）自動運転から手動運転へ切り換える。なお、自動運転の終了位置は、車両２の進路上において、自動運転を継続できる道路環境と自動運転を継続できない道路環境との境界の位置から、車両２側（手前側）に所定距離だけ離れた位置に設定することもできる。
【００２４】
自動運転を継続できない道路環境とは、自動車専用道路用の自動運転であれば、自動車専用道路以外の道路（例えば一般道路）の環境を意味する。つまり、自動車専用道路用の自動運転の終了位置は、当該自動運転を継続できる自動車専用道路と当該自動運転を継続できない一般道路との境界となる自動車専用道路出口の位置とすることができる。なお、自動車専用道路用の自動運転とは、自動車専用道路の環境下において実行可能な自動運転である。
【００２５】
あるいは、自動運転を継続できない道路環境は、歩行者などの障害物が車両２の進路上に存在する環境でもよい。この場合、自動運転の終了位置は、車両２の進路上において、歩行者などの障害物の手前の位置とすることができる。また、自動運転を継続できない道路環境は、例えば、急カーブ、接続形態の道路（分岐路、合流路など）、車線幅が所定値以下の道路など、自動運転が不可能な道路とすることができる。この場合、自動運転の終了位置は、車両２の進路上において、直線などの自動運転走行が可能な形状の道路と自動運転走行が不可能な形状の道路との境界となる位置とすることができる。また、自動運転を継続できない道路環境は、自動運転が不可能な交通状況又は天候であってもよく、例えば、工事、渋滞、大雨、積雪などの道路環境であってもよい。この場合、自動運転の終了位置は、車両２の進路上において、通常の交通状況又は天候となる道路と、自動運転が不可能な交通状況又は天候となる道路との境界となる位置とすることができる。
【００２６】
さらに、自動運転を継続できない道路環境は、自動運転に必要な情報を取得できない環境であってもよい。自動運転を継続できない道路環境には、例えば、経年劣化又は工事などにより道路の白線がかすれている場合、白線が途切れている場合、トンネル出口などの車両前方を撮像しようとすると逆光となる場合などがある。このような環境では、車両２は、自動運転に必要な情報を取得できない可能性がある。この場合、自動運転の終了位置は、車両２の進路上において、例えば、車両２の走行する道路の白線（車線境界線又は車両通行帯境界線など）を認識できる道路環境と、経年劣化又は工事などにより道路の白線を認識できない道路環境との境界となる位置とすることができる。
【００２７】
自動運転ＥＣＵ２０は、周辺環境情報に基づいて、自動運転を継続できない道路環境を認識し、自動運転の終了位置を導出する。周辺環境情報は、後述する車載センサ、ナビゲーションシステム、車々間通信、路車間通信又はこれらの組合せにより得られた情報である。周辺環境情報の詳細は後述する。例えば、自動運転ＥＣＵ２０は、車載センサにより検出された情報（周辺環境情報）を取得して自動運転の終了位置を導出してもよい。あるいは、自動運転ＥＣＵ２０は、車々間通信又は路車間通信を介して、他車両により判定された自動運転を継続できない道路環境に関する情報（周辺環境情報）を取得して、自動運転の終了位置を導出してもよい。あるいは、自動運転ＥＣＵ２０は、車々間通信又は路車間通信を介して、他車両の自動運転の終了位置（周辺環境情報）を取得して、自動運転の終了位置を導出してもよい。通信から取得した情報には、他車両の自動運転の終了位置の履歴情報が含まれていてもよい。他車両の自動運転の終了位置を通信から取得する場合には、自動運転の終了位置は、例えば車両２の先行車などが何らかの理由で自動運転を終了した位置とすることができる。あるいは、自動運転ＥＣＵ２０は、車両２の履歴情報を取得して、自動運転の終了位置を導出してもよい。なお、自動運転ＥＣＵ２０は、自動運転を継続できない道路環境であるか否かを車両２の走行中に判定してもよい。この場合、判定結果によっては車両２の現在位置が自動運転の終了位置となり得る。
【００２８】
あるいは、自動運転ＥＣＵ２０は、例えば、後述するナビゲーションシステム２４の車両２の位置情報、地図情報、案内経路情報に基づいて、自動運転の終了位置を導出（設定）してもよい。自動運転ＥＣＵ２０は、例えば、車両２が自動車専用道路用の自動運転中である場合、ナビゲーションシステム２４の車両２の位置情報、地図情報、案内経路情報に基づいて、車両２が通過する予定の自動車専用道路の出口の位置を自動運転の終了位置として導出する。
【００２９】
警報システム１は、警報ＥＣＵ３０（警報装置の一例）及び携帯端末４（携帯端末の一例）を備えている。警報ＥＣＵ３０は、車両２に搭載されている。警報ＥＣＵ３０は、ＣＰＵ、ＲＯＭ、ＲＡＭなどからなる電子制御ユニットである。警報ＥＣＵ３０は、図示しない記憶装置を参照可能に構成されていてもよい。警報ＥＣＵ３０では、例えば、記憶装置を参照してデータを取得し、ＲＯＭに記憶されているプログラムをＲＡＭにロードし、ＣＰＵで実行することで、各種の車両制御を実行する。警報ＥＣＵ３０は、複数の電子制御ユニットから構成されていてもよい。警報ＥＣＵ３０は、運転者の携帯端末４と通信可能に構成され、自動運転を行う車両２の運転者に携帯端末４を用いて警報を行う。本実施形態における警報とは、例えば車両２の運転状態に関する注意喚起を行うことを意味する。
【００３０】
携帯端末４は、自動運転を行う車両２の運転者が運転席で使用する携帯端末である。「運転者が運転席で使用する」とは、運転者が運転席に位置するときに携帯端末の機能を発揮させていることをいう。携帯端末の機能には、表示機能が含まれる。例えば、運転者が運転席でＷｅｂページ、静止画、動画もしくはメールの閲覧、又は、ゲームなどのアプリケーションを実行させている場合には、「運転者が運転席で使用する」に相当する。また、「運転席で使用する」には、運転席を含む所定空間領域内での使用を意味し、例えば運転席に着座した運転者の手の届く範囲で使用している場合を意味する。つまり、運転者が操作可能な状態であればよく、運転者が携帯端末４を手に持って使用している場合に限られない。
【００３１】
携帯端末４は、持ち運びすることができるコンピュータであり、例えば、携帯電話、ＰＤＡ（Personal  Digital  Assistant）、タブレット、ラップトップなどである。携帯端末４は、例えば、ＣＰＵ（不図示）、記憶部（不図示）、通信部４０、表示部４１（画面）及び操作部４２を備えた装置である。通信部４０は、通信を制御するネットワーク回路などの通信デバイスである。通信部４０は、例えば無線ＬＡＮ（Local  Area  Network）又はＢｌｕｅｔｏｏｔｈ（登録商標）などを用いて車両２と通信する。表示部４１は、ディスプレイなどの表示デバイスである。操作部４２は、操作入力を受け付ける入力デバイスである。携帯端末４には、動画アプリケーションやメールアプリケーションなどの種々のアプリケーションをインストールすることができる。携帯端末４は、上述した構成要素を動作させることにより、Ｗｅｂページ、静止画、動画もしくはメールの表示、又は、ゲームなどのアプリケーションを実行することができる。また、携帯端末４は、通信部４０を介して警報ＥＣＵ３０と通信を行い、運転者に手動運転を開始させるための警報情報を表示部４１に表示する。警報情報の詳細については後述する。携帯端末４は、周知の手法によって警報ＥＣＵ３０により運転者の携帯端末であることの認証がなされてもよい。また、周知の手法によって携帯端末４の位置及び使用状態が把握されてもよい。この場合、警報ＥＣＵ３０は、位置及び使用状態に基づいて、通信中の携帯端末が車両２の運転者が運転席で使用する携帯端末４であることを認識することができる。
【００３２】
図２を用いて、警報ＥＣＵ３０が警報を行う状況について説明する。図２は、本実施形態に係る警報システム１が作動する状況を説明する図である。図２に示す車両２は、自動運転により走行している。自動運転中の車両２の車内では、運転者が車両２の運転状況の監視以外のことをして過ごすことがある。例えば、図２に示す運転者は、運転者の手元の携帯端末４に意識を向けている状況である。つまり、運転者は、自動運転中に、車両２の運転状態、運転状況や周囲環境には注意を払っておらず、Ｗｅｂページ、静止画、動画もしくはメールなどの閲覧、又は、ゲームもしくはメール作成などの操作を行っている状況である。
【００３３】
このような状況において、自動運転を継続できない道路環境に向かって自動運転中の車両２が走行している場合、自動運転ＥＣＵ２０は、自動運転の終了位置を導出し、自動運転中の車両２が自動運転の終了位置に至ったと判定した場合、車両２の運転状態を自動運転から手動運転へ切り換える。つまり、自動運転ＥＣＵ２０は、自動運転の継続が困難であるため、運転者の意思に関わらず、自動運転の終了位置で自動運転から手動運転へ切り換える。この場合、運転者に対して手動運転を開始するように警報する必要がある。警報は、ダッシュボード固定のディスプレイなどに表示させてもよい。しかし、運転者が携帯端末４に意識を向けている場合には、ダッシュボード固定のディスプレイなどを用いた警報は効果的とはいえない。このため、警報ＥＣＵ３０は、運転者に手動運転を開始させるための警報情報を、携帯端末４の表示部４１に表示する。これにより、警報情報をダッシュボード固定のディスプレイなどにのみに表示する場合に比べて、携帯端末４に意識を集中させている運転者が手動運転の開始をしなければならない状況であることを気付き易くすることができる。
【００３４】
警報ＥＣＵ３０は、例えば、自動運転ＥＣＵ２０、通信部２１、ステレオカメラ２２、レーザレーダ２３、ナビゲーションシステム２４、アクセルペダルセンサ２５、ブレーキペダルセンサ２６、操舵センサ２７、ハンドルタッチセンサ２８及びドライバモニタカメラ２９と接続され、これらの構成要素と情報のやり取りが可能に構成されている。
【００３５】
自動運転ＥＣＵ２０は、車両２の自動運転を実行中であるか否かを特定することができる情報を、警報ＥＣＵ３０へ出力する。また、自動運転ＥＣＵ２０は、自動運転の終了位置に関する情報を警報ＥＣＵ３０へ出力してもよい。
【００３６】
通信部２１は、無線通信網（例えば携帯電話の通信網、ＶＩＣＳ（Vehicle  Information  and  Communication  System）（登録商標）の通信網など）を介して各種の情報を取得する。通信部２１は、例えば、交通情報を管理する情報管理センターなどの施設のコンピュータとの路車間通信により、車両２の進路上の道路環境情報を取得する。路車間通信とは、例えば、道路脇に設けられた路側送受信機（例えば光ビーコン、ＩＴＳ（Intelligent  Transport  Systems）スポットなど）を介した情報管理センターなどとの通信である。路車間通信には、上述した無線通信網を通じた情報管理センターなどとの通信も含まれる。
【００３７】
また、通信部２１は、車々間通信により他車両の情報を取得してもよい。通信部２１は、例えば、車々間通信により、他車両の位置情報、他車両が検出した道路環境情報などを取得する。また、通信部２１は、車内の携帯端末４と通信を行う。例えば、通信部２１は、無線ＬＡＮ又はＢｌｕｅｔｏｏｔｈなどを用いて携帯端末４と接続され、携帯端末４が受け付けた操作情報を受信したり、携帯端末４へ運転者に手動運転を開始させるための警報情報を送信したりする。警報情報については後述する。
【００３８】
ステレオカメラ２２は、例えば、車両２のフロントガラスの裏面に設けられた二つの撮像部を有している。二つの撮像部は、車両２の車幅方向に並んで配置されており、車両２の前方を撮像する。ステレオカメラ２２は、車両前方の撮像情報を警報ＥＣＵ３０へ送信する。なお、ステレオカメラ２２に代えて単眼カメラを用いてもよい。
【００３９】
レーザレーダ２３は、例えば、車両２の前端に設けられ、レーザーを利用して車両前方の障害物を検出する。レーザレーダ２３は、例えば、レーザーを車両前方に送信し、他車両などの障害物に反射したレーザーを受信することで障害物を検出する。レーザレーダ２３は、検出した障害物に応じた信号を警報ＥＣＵ３０へ出力する。なお、レーザレーダ２３に代えて、ミリ波レーダなどを用いてもよい。
【００４０】
ナビゲーションシステム２４は、運転者によって設定された目的地まで車両２の運転者の案内を行う。ナビゲーションシステム２４は、例えば、車両２の位置情報を測定するためのＧＰＳ受信部２４ａと、地図情報を記憶した地図データベース２４ｂを有している。ＧＰＳ受信部２４ａは、例えば、三個以上のＧＰＳ衛星からの信号を受信することにより、車両２の位置情報（例えば緯度経度）を測定する。地図データベース２４ｂの地図情報には、例えば、道路の位置情報、道路の種別情報、道路形状の情報などが含まれる。
【００４１】
ナビゲーションシステム２４は、ＧＰＳ受信部２４ａの測定した車両２の位置情報と地図データベース２４ｂの地図情報とに基づいて、車両２の走行する走行道路及び走行車線を認識する。ナビゲーションシステム２４は、車両２の位置から目的地に至るまでの経路を演算し、ナビゲーション用ディスプレイの表示及び車両２のスピーカからの音声出力により運転者に対して当該経路の案内を行う。ナビゲーションシステム２４は、例えば、車両２の位置情報、車両２の走行道路の情報、及び車両２の案内経路の情報を警報ＥＣＵ３０へ送信する。
【００４２】
アクセルペダルセンサ２５は、例えば、車両２のアクセルペダルのシャフト部分に対して設けられ、アクセルペダルの踏込み量（アクセルペダルの位置）を検出する。アクセルペダルセンサ２５は、検出したアクセルペダルの踏込み量に応じた信号を警報ＥＣＵ３０へ出力する。
【００４３】
ブレーキペダルセンサ２６は、例えば、ブレーキペダルの部分に対して設けられ、ブレーキペダルの踏込み量（ブレーキペダルの位置）を検出する。ブレーキペダルの操作力（ブレーキペダルに対する踏力やマスタシリンダの圧力など）から検出してもよい。ブレーキペダルセンサ２６は、検出したブレーキペダルの踏込み量や操作力に応じた信号を警報ＥＣＵ３０へ出力する。
【００４４】
操舵センサ２７は、例えば、車両２のステアリングシャフトに対して設けられ、運転者がステアリングホイールに与える操舵トルクを検出する。ハンドルタッチセンサ２８は、例えば、車両２のステアリングホイールに設けられ、ステアリングホイールに対する運転者の接触及び運転者がステアリングホイールを握る圧力を検出する。操舵センサ２７及びハンドルタッチセンサ２８は、検出結果に基づいて、運転者の操舵に関する操舵情報を警報ＥＣＵ３０へ送信する。
【００４５】
ドライバモニタカメラ２９は、例えば、車両２のステアリングコラムのカバー上で運転者の正面の位置に設けられ、運転者の撮像を行う。ドライバモニタカメラ２９は、運転者を複数方向から撮像するため、複数設けられていてもよい。ドライバモニタカメラ２９は、運転者の撮像情報を警報ＥＣＵ３０へ送信する。
【００４６】
警報ＥＣＵ３０は、自動運転判定部３００、警報要否判定部（判定部）３０１、警報部（警報部）３０２及び手動運転判定部３０３を備えている。
【００４７】
自動運転判定部３００は、自動運転ＥＣＵ２０から車両２の自動運転を実行中であるか否かを特定することができる情報を取得し、車両２が自動運転中であるか否か判定する。自動運転判定部３００は、例えば、自動運転中であれば「１」、自動運転中でない場合には「０」というフラグ情報を自動運転ＥＣＵ２０から取得する。自動運転判定部３００は、判定結果を警報要否判定部３０１に出力する。
【００４８】
警報要否判定部３０１は、車両２の自動運転中に、警報の要否を判定する。つまり、警報要否判定部３０１は、自動運転判定部３００により車両２が自動運転中であると判定された場合に、警報情報を携帯端末４の表示部４１に表示させるか否かを判定する。本実施形態における警報情報とは、運転者に手動運転を開始させるための情報であり、車両２の自動運転の終了に伴う注意喚起を行う情報である。例えば、警報情報は、車両２が自動運転の終了位置に近づいていることを示す情報（距離情報など）である。あるいは、警報情報は、運転者に手動運転を即時又は所定時間後に開始しなければならない状況であることを示す情報（残り時間の情報など）であってもよい。警報情報は、運転者が開始すべき運転操作を示す情報が含まれてもよい。例えば、警報情報は、ステアリング操作、アクセル操作又はブレーキ操作に関する情報を含んでもよい。警報情報は、警報音や音声、携帯端末の振動などと合わせて運転者に提供されてもよい。
【００４９】
具体的には、警報要否判定部３０１は、自動運転中に、車両２の位置情報及び地図情報に基づいて、車両２から自動運転の終了位置までの距離が所定値以下であるか否かを判定する。まず、警報要否判定部３０１は、車両２の位置情報を取得する。車両２の位置情報は、例えばナビゲーションシステム２４から取得され、車両２の現在位置を含む。そして、警報要否判定部３０１は、自動運転の終了位置を、例えば自動運転ＥＣＵ２０から取得する。あるいは、警報要否判定部３０１は、自動運転の終了位置を、ナビゲーションシステム２４から取得してもよい。警報要否判定部３０１は、例えば、自動運転ＥＣＵ２０が自動車専用道路用の自動運転をする場合には、自動車専用道路出口の位置を車両２の案内経路の情報及び地図情報から取得することができる。あるいは、警報要否判定部３０１は、自動運転ＥＣＵ２０が自動車専用道路用の自動運転をする場合であって車両２の案内経路の情報が無いとき、車両２の位置情報から進行方向を認識し、車両２の進行方向の自動車専用道路出口の位置を地図情報から取得することができる。そして、警報要否判定部３０１は、例えば、車両２の現在位置と、取得された自動車専用道路出口の位置に基づいて、車両２の現在位置から自動運転の終了位置までの距離を導出する。そして、警報要否判定部３０１は、導出された距離が所定値以下であるか否かを判定する。所定値は、運転者に対して警報情報を報知すべき距離となったか否かを判断するための閾値であり、例えば５０ｍ〜３ｋｍの範囲で設定され得る。
【００５０】
あるいは、警報要否判定部３０１は、自動運転中に、車両２の周辺環境情報に基づいて、車両２の現在位置から自動運転の終了位置までの距離が所定値以下であるか否かを判定してもよい。この場合の所定値も、上記と同様に設定することができる。周辺環境情報とは、車両２を取り巻く環境の情報であり、警報要否判定部３０１が車両２の現在位置から自動運転の終了位置までの距離を導出するための情報である。例えば、周辺環境情報には、車両２の周囲において、歩行者などの障害物が存在するか否かの情報、所定値以下の曲率半径となるカーブが存在するか否かの情報、分岐路や合流路が存在するか否かの情報、工事又は渋滞が発生している箇所が存在するか否かの情報、天候が悪化している地域があるか否かの情報などが含まれる。車両２の周囲は、例えば車両の現在位置から車両前方の所定距離までの範囲であり、所定距離は、例えば１００ｍ〜５ｋｍの範囲で設定され得る。周辺環境情報は、通信部２１、ステレオカメラ２２、レーザレーダ２３又はナビゲーションシステム２４を介して取得される。警報要否判定部３０１は、周辺環境情報に基づいて自動運転の終了位置を導出してもよい。あるいは、警報要否判定部３０１は、自動運転ＥＣＵ２０から、自動運転ＥＣＵ２０によって周辺環境情報に基づいて算出された自動運転の終了位置を取得してもよい。何れの場合も、警報要否判定部３０１は、周辺環境情報に基づいて算出された自動運転の終了位置を用いて、車両２の現在位置から自動運転の終了位置までの距離が所定値以下であるか否かを判定する。
【００５１】
なお、警報要否判定部３０１は、車両２の現在位置から自動運転の終了位置までの距離を算出し、現在車速が車両２の現在位置から自動運転の終了位置まで等速であるとして、車両２の現在位置から自動運転の終了位置までの到達時間を算出するようにしてもよい。そして、警報要否判定部３０１は、算出した到達時間が所定値以下であるか否かを判定してもよい。この場合の所定値は、運転者に対して報知を行うべきタイミングとなったか否かを判断するための閾値であり、例えば、５秒〜１３０秒の範囲で設定され得る。なお、到達時間を用いる場合には、距離を算出する場合と同様に、警報要否判定部３０１は、自動運転ＥＣＵ２０から自動運転の終了位置を受け取ってもよいし、警報要否判定部３０１自身が、自動運転の終了位置を演算してもよい。何れの場合も、自動運転の終了位置は、車両２の位置情報及び地図情報、又は、車両の周辺環境情報に基づいて演算される。したがって、自動運転の終了位置を演算する主体が何れの場合であっても、警報要否判定部３０１は、車両２の位置情報及び地図情報、又は、車両の周辺環境情報に基づいて、自動運転の終了位置までの距離又は到達時間が所定値以下であるか否かを判定することになる。
【００５２】
警報部３０２は、警報要否判定部３０１により自動運転の終了位置までの距離又は到達時間が所定値以下であると判定された場合に、運転者に手動運転を開始させるための警報情報を携帯端末４の表示部４１に表示させる。警報部３０２は、例えば、記憶装置に格納された警報情報を参照可能に構成されている。あるいは、警報部３０２は、警報情報を逐次生成してもよいし、携帯端末４に警報情報を生成させるための情報を送信して、携帯端末４に警報情報を生成させてもよい。
【００５３】
図３は、運転者に手動運転を開始させるための警報情報が表示された画面の一例を示す図である。図３の（Ａ）は、携帯端末４の画面に、車両２の自動運転が終了するまでの時間を示す画像Ｇ１を表示した例である。すなわち、画像Ｇ１は、本実施形態の警報情報の一例である。画像Ｇ１には、「自動運転」「ｘｘ秒」という文字情報を含んでいる。「ｘｘ秒」は、車両２の自動運転が終了するまでの残り時間を示している。車両２の自動運転が終了するまでの残り時間「ｘｘ秒」は、現在の車両２の位置から自動運転の終了位置までの到達時間と同一であってもよいし、到達時間より所定時間だけ短い時間であってもよい。画像Ｇ１は、携帯端末４の画面の一部を占有するように表示される。例えば、運転者がＷｅｂページや動画などのコンテンツを見ている場合には、画像Ｇ１は、運転者が見ているコンテンツに重畳されて携帯端末４の画面の一部を占有するように表示される。つまり、画像Ｇ１は、運転者に視認可能な態様で表示される。なお、画像Ｇ１の背景は、透明又は半透明にしてもよい。車両２の自動運転が終了するまでの時間「ｘｘ秒」は、カウントダウン形式で表示されてもよい。また、車両２の自動運転が終了するまでの距離を表示することもできる。携帯端末４の画面に画像Ｇ１が表示されることで、運転者は、自動運転が終了すること、及び、自動運転が終了するタイミングを知ることができるので、即時又は所定時間後に手動運転を開始しなければならない状況であると理解することができる。
【００５４】
図３の（Ｂ）〜（Ｄ）は、携帯端末４の画面に、運転者が行うべき運転操作を示す画像Ｇ２〜Ｇ４を表示した例である。図３の（Ｂ）は、運転者にステアリング操作を開始させるための画像の一例である。すなわち、画像Ｇ２は、本実施形態の警報情報の一例である。図中の矢印はステアリングホイールを手で握ることを促しており、運転者はステアリング操作による手動運転を開始しなければならないことを容易に理解することができる。図３の（Ｃ）は、運転者にアクセル操作を開始させるための画像の一例である。すなわち、画像Ｇ３は、本実施形態の警報情報の一例である。図中の矢印はアクセルペダルを足で踏むことを促しており、運転者はアクセル操作による手動運転を開始しなければならないことを容易に理解することができる。図３の（Ｄ）は、運転者にブレーキ操作を開始させるための画像の一例である。すなわち、画像Ｇ３は、本実施形態の警報情報の一例である。図中の矢印はブレーキペダルを足で踏むことを促しており、運転者はブレーキ操作による手動運転を開始しなければならないことを容易に理解することができる。画像Ｇ２〜Ｇ４は、画像Ｇ１と同様に、運転者が見ているコンテンツに重畳されて携帯端末４の画面の一部を占有するように表示される。
【００５５】
警報部３０２は、図３に示す画像Ｇ１〜Ｇ４を、車両２の現在位置又は車両２の前方で運転者が行うべき運転操作に基づいて選択し、携帯端末４に表示させてもよい。この場合、画像Ｇ１〜Ｇ４に関する情報は、運転者が車両２の現在位置又は車両２の前方で行うべき運転操作と関連付けされ、警報部３０２が参照可能な記憶装置に記憶されていればよい。例えば、警報部３０２は、車両２の現在位置又は車両２の前方において必要な運転操作を予測する。例えば、警報部３０２は、車両２の現在位置又は車両２の前方の道路形状に基づいて必要な運転操作を予測する。具体的には、車両２の現在位置又は車両２の前方がカーブである場合には、必要な運転操作はステアリング操作であると予測する。そして、警報部３０２は、ステアリング操作を促す画像Ｇ２を参照可能な記憶装置から選択し、携帯端末４に表示させる。あるいは、警報部３０２は、ステアリング操作を促す画像Ｇ２を生成し、携帯端末４に表示させてもよい。また、車両２の現在位置又は車両２の前方が直線道路上であり、かつ、登り坂である場合には、警報部３０２はアクセルペダル操作を促す画像Ｇ３を選択又は生成し、携帯端末４に表示させる。あるいは、車両２の現在位置又は車両２の前方が直線道路上であり、かつ、下り坂である場合には、警報部３０２はブレーキペダル操作を促す画像Ｇ４を選択又は生成し、携帯端末４に表示させる。警報部３０２は、例えば、必要な運転操作が複数ある場合、最初に行うべき操作を促す画像を携帯端末４に表示させる。
【００５６】
また、警報部３０２は、図３に示す画像Ｇ１と、画像Ｇ２〜Ｇ４とを、車両２から自動運転の終了位置までの距離又は到達時間に応じて携帯端末４に表示させてもよい。この場合、画像Ｇ１〜Ｇ４は、車両２から自動運転の終了位置までの距離又は到達時間と関連付けされ、警報部３０２が参照可能な記憶装置に記憶されていればよい。
【００５７】
また、警報部３０２は、車両２から自動運転の終了位置までの距離ＬＸが短くなるほど、画像ＧＸの表示度合いが大きくなるように、携帯端末４の画面に表示させてもよい。表示度合いとは、携帯端末４の画面に表示される画像ＧＸの表示態様の強さの指標である。例えば、画像ＧＸが大きいほど表示度合いは大きい。表示度合いは、画像ＧＸの大きさ以外にも関係してよい。例えば、画像ＧＸの透明度が低いほど画像ＧＸの表示度合いは大きい。あるいは、画像ＧＸの輝度値が大きいほど画像ＧＸの表示度合いは大きい。また、画像ＧＸ以外のコンテンツの表示を終了した場合には、コンテンツに画像ＧＸを重畳表示した場合に比べて、画像ＧＸの表示度合いは大きい。さらにまた、画像ＧＸが点滅して表示される場合には、画像ＧＸが点滅して表示されない場合に比べて、画像ＧＸの表示度合いは大きい。なお、警報部３０２は、車両２から自動運転の終了位置までの距離又は到達時間に関連付けされた係数を用いて、画像Ｇ１〜Ｇ４の表示度合いを変更してもよい。なお、警報部３０２は、必ずしも画像Ｇ１〜Ｇ４の表示度合いを変更する必要はなく、一定の表示度合いとしてもよい。
【００５８】
以下では、一例として、警報部３０２が車両２から自動運転の終了位置までの距離に応じて警報情報を表示させる場合を説明する。
【００５９】
図４は、車両２から自動運転の終了位置までの距離と、携帯端末４の画面に表示される警報情報との関係を説明するための図である。図４は、車両２の自動運転の終了位置Ｆ１が自動車専用道路出口５０である場合を一例として示している。そして、図４には、車両２の現在位置ＰＸ（Ｘは整数）から自動車専用道路出口５０の位置（自動運転の終了位置Ｆ１）までの距離ＬＸ（Ｘは整数）と、携帯端末４の画面に表示される警報情報（画像Ｇ１〜Ｇ４）との関係が示されている。図４では、車両２は位置Ｐ０から自動車専用道路出口５０へ向かって自動運転しており、車内では運転者が携帯端末４の動画などのコンテンツを視聴しているものとする。それぞれの位置ＰＸでの時刻ｔは、ＴＸ（Ｘは整数）で表現されている。また、位置Ｐ０と位置Ｐ１との間には、自動運転の終了位置Ｆ１から所定の距離Ｋ（所定値）だけ離れた位置Ｆ２が存在するものとする。距離Ｋは、手動運転を開始させるための警報をするか否かを判定するために、予め設定された距離である。
【００６０】
時刻Ｔ０の場合、車両２は位置Ｐ０に存在する。位置Ｐ０から自動運転の終了位置Ｆ１までの距離Ｌ０は、位置Ｆ２から自動運転の終了位置Ｆ１までの距離Ｋ以下ではない。このため、警報部３０２は、携帯端末４の画面に警報情報を表示しない。図中では、猫の動画のコンテンツがそのまま携帯端末４の画面に表示されている。
【００６１】
そして、車両２は、自動運転で自動車専用道路出口５０へ向かって走行し続け、時刻Ｔ１には位置Ｐ１に存在する。位置Ｐ１から自動運転の終了位置Ｆ１までの距離Ｌ１は、距離Ｋ以下である。このため、警報部３０２は、通信を介して携帯端末４の画面に警報情報である画像Ｇ１を表示させる。ここでは、警報部３０２は、距離Ｌ１に基づいて定まる画像Ｇ１をコンテンツに重畳表示させている。画像Ｇ１には、自動運転終了までの時間（ここでは１００秒）が表示される。
【００６２】
時刻Ｔ２になると、車両２は位置Ｐ２に存在する。位置Ｐ２から自動運転の終了位置Ｆ１までの距離Ｌ２は、距離Ｋ以下である。このため、警報部３０２は、継続して、携帯端末４の画面に警報情報である画像Ｇ１を表示させる。警報部３０２は、距離Ｌ２に基づいて定まる画像Ｇ１をコンテンツに重畳表示させている。画像Ｇ１には、自動運転終了までの時間（ここでは１０秒）が表示されている。なお、警報部３０２は、自動運転終了までの時間が所定時間（例えば４０秒以下）となった場合や、距離ＬＸが所定距離（例えば９０ｍ以下）となった場合には、警報情報の表示だけでなく、バイブやアラーム音といった警報を合わせて行ってもよい。
【００６３】
時刻Ｔ３になると、車両２は位置Ｐ３に存在する。位置Ｐ３から自動運転の終了位置Ｆ１までの距離Ｌ３は、距離Ｋ以下である。このため、警報部３０２は、継続して、携帯端末４の画面に警報情報を表示させる。警報部３０２は、距離Ｌ３に基づいて定まる画像Ｇ２をコンテンツに重畳表示させる。警報部３０２は、距離ＬＸに基づいて画像の種類を変更してもよい。ここでは、警報部３０２は、通信を介して、ステアリング操作を開始させるための画像Ｇ２を警報情報として携帯端末４に表示させる。
【００６４】
時刻Ｔ４になると、車両２は位置Ｐ４に存在する。位置Ｐ４から自動運転の終了位置Ｆ１までの距離Ｌ４は、距離Ｋ以下である。このため、警報部３０２は、継続して、携帯端末４の画面に警報情報を表示させる。警報部３０２は、距離Ｌ４に基づいて定まる画像Ｇ２をコンテンツに重畳表示させる。例えば、警報部３０２は、通信を介して、ステアリング操作を開始させるための画像Ｇ２を警報情報として携帯端末４の画面に表示させる。警報部３０２は、距離ＬＸに基づいて画像の大きさを変更してもよい。警報部３０２は、位置Ｐ４にて表示させる画像Ｇ２のサイズを、位置Ｐ３にて表示させる画像Ｇ２のサイズよりも大きくして、携帯端末４の画面に表示させる。警報部３０２は、画像Ｇ２のサイズそのものを大きくして携帯端末４へ送信してもよい。あるいは、警報部３０２は携帯端末４へ倍率に関する情報を送信し、携帯端末４が倍率を考慮して画像Ｇ２のリサイズを行い、画面に表示してもよい。
【００６５】
時刻Ｔ５になると、車両２は位置Ｐ５に存在する。位置Ｐ５から自動運転の終了位置Ｆ１までの距離Ｌ５は、距離Ｋ以下である。このため、警報部３０２は、継続して、携帯端末４の画面に警報情報を表示させる。警報部３０２は、自動運転終了までの時間が所定時間（例えば５秒以下）となった場合や、距離ＬＸが所定距離（例えば６０ｍ以下）となった場合には、携帯端末４にコンテンツ表示を終了させてもよい。例えば、警報部３０２は、携帯端末４にコンテンツ表示を終了させるとともに、距離Ｌ５に基づいて定まる画像Ｇ２を表示させる。例えば、警報部３０２は、通信を介して、携帯端末４にコンテンツ表示を終了させ、ステアリング操作を開始させるための画像Ｇ２を警報情報として携帯端末４の画面に表示させる。ここで、位置Ｐ５にて表示される画像Ｇ２の大きさは、位置Ｐ３及び位置Ｐ４にて表示される画像Ｇ２の大きさよりも大きくされる。
【００６６】
図４を用いて説明したとおり、警報部３０２は、車両２から自動運転の終了位置までの距離に応じた警報情報を携帯端末４の画面に表示させることができる。また、位置Ｐ３〜Ｐ５における携帯端末４の画面で説明したとおり、警報部３０２は、車両２から自動運転の終了位置Ｆ１までの距離ＬＸが短くなるほど、画像ＧＸの表示度合いが大きくなるように、携帯端末４の画面に表示させることができる。このため、この警報部３０２は、携帯端末４に意識を集中させている運転者が手動運転の開始をしなければならない状況であることを、車両２が自動運転の終了位置Ｆ１へ近づくほど気付き易くすることができる。なお、警報部３０２は、警報情報の表示とともにバイブやアラーム音などの警報を携帯端末４に行わせる場合には、車両２から自動運転の終了位置Ｆ１までの距離ＬＸが短くなるほどバイブやアラーム音などの警報を大きくしてもよい。
【００６７】
なお、図４では、車両２から自動運転の終了位置Ｆ１までの距離ＬＸに基づいて警報情報を携帯端末４の画面に表示させる例を説明したが、距離ＬＸに替えて到達時間を採用してもよい。つまり、警報部３０２は、距離ＬＸと車速とを用いて、車両２から自動運転の終了位置Ｆ１までの到達時間を算出し、図３に示す画像Ｇ１〜Ｇ４を、車両２から自動運転の終了位置Ｆ１までの到達時間に応じて携帯端末４に表示させてもよい。そして、警報部３０２は、車両２から自動運転の終了位置までの到達時間が短くなるほど、画像ＧＸの表示度合いが大きくなるように、携帯端末４の画面に表示させてもよい。
【００６８】
警報部３０２は、手動運転が開始された場合には、携帯端末４に警報情報の表示を終了させてもよい。手動運転が開始されたか否かについては、手動運転判定部３０３が判定する。手動運転判定部３０３の詳細は後述する。図５は、手動運転開始時における警報情報の表示終了を説明するための図である。図５に示すように、時刻Ｔ６のときに車両２が位置Ｐ６に存在する。そして、運転者は位置Ｐ６で手動運転を開始したとする。この場合、警報部３０２は、表示済みの警報情報である画像Ｇ２の表示を終了させる。このため、警報部３０２は、手動運転を開始した運転者にとって不要な警報情報の表示を終了させることができる。なお、警報部３０２がバイブやアラーム音などの他の警報を同時に行わせている場合には、警報部３０２はこれらの警報も終了させてもよい。また、警報部３０２が携帯端末４のコンテンツの表示を終了させている場合には、警報部３０２は携帯端末４のコンテンツの表示を再開させてもよい。つまり、警報部３０２は、手動運転が開始された場合には、携帯端末４の表示を、警報情報を表示させる前の状態に戻す。
【００６９】
あるいは、警報部３０２は、携帯端末４に警報終了を指示する操作ボタンを表示させ、当該操作ボタンが操作された場合には、携帯端末４に警報情報の表示を終了させてもよい。この場合、意識的に警報終了を指示した運転者に対して、不要な警報を継続することを回避することができる。
【００７０】
一方、警報部３０２は、車両２から自動運転の終了位置Ｆ１までの距離が終了閾値以下となった場合において手動運転が開始されないときには、自動運転が終了することを報知する画像を携帯端末４の画面に表示させてもよい。終了閾値は、携帯端末４に画像Ｇ２の表示を終了させるか否かを判断するための閾値であり、予め定められた値である。終了閾値は、例えば、５０ｍ以下（秒に換算すると数秒以下）の範囲で設定され得る。終了閾値以下において運転者が運転に復帰していない場合には、運転者は携帯端末４に意識を向けていない可能性、運転者の覚醒度が低下している可能性などが考えられる。このため、携帯端末４の画面に警報情報を表示させることを終了させ、自動運転の終了を報知する。警報部３０２は、自動運転の終了とともに、今後の車両の状況を運転者に報知してもよい。自動運転ＥＣＵ２０は、車両２の停止などの処理を行ってもよい。
【００７１】
図６は、手動運転が開始されない場合における警報情報の表示終了を説明するための図である。図６に示すように、時刻Ｔ７のときに車両２が位置Ｐ７に存在する。そして、運転者は位置Ｐ７においても、手動運転を開始していないとする。さらに、位置Ｐ７から自動運転の終了位置Ｆ１までの距離Ｌ７は、予め設定された終了閾値Ｍ以下である。この場合、警報部３０２は、携帯端末４に画像Ｇ２の表示を終了させる。そして、警報部３０２は、自動運転が終了することを報知する画像Ｇ５を携帯端末４の画面に表示させる。なお、自動運転ＥＣＵ２０は、時刻Ｔ８において、自動運転の終了位置Ｆ１手前の位置Ｐ８の周囲の路肩などに車両２を緊急停止させてもよい。あるいは、警報部３０２は、自動運転が終了することを報知する画像Ｇ５に替えて、「運転注意」などの文字が含まれた注意喚起情報を携帯端末４の画面に表示させてもよい。また、携帯端末４のコンテンツの表示を所定期間再開させなくてもよい。
【００７２】
図４〜６では、自動運転の終了位置Ｆ１が自動車専用道路出口５０である場合、つまり、自動運転の終了位置Ｆ１が車両２の位置情報及び地図情報に基づいて決定される場合を説明したが、車両２の周辺環境情報に基づいて自動運転の終了位置Ｆ１が決定されてもよい。図７は、車両２から自動運転の終了位置Ｆ１までの距離ＬＸと、携帯端末４の画面に表示される警報情報との関係を説明するための図である。図７では、警報部３０２は、車両２の周辺環境情報に基づいて決定された自動運転の終了位置Ｆ１を基準として、携帯端末４の画面に警報情報を表示させる。図７では、時刻Ｔ９のときに、車両２が位置Ｐ９に存在し、時刻Ｔ９において車両２前方の位置Ｐ１１の白線がかすれていることを検知したとする。つまり、図７には、車両２の現在位置ＰＸ（Ｘは整数）から自動運転の終了位置Ｆ１までの距離ＬＸ（Ｘは整数）と、携帯端末４の画面に表示される警報情報（画像Ｇ１〜Ｇ２）との関係が示されている。図７では、図４と同様に、運転者が携帯端末４の動画などのコンテンツを視聴しているものとする。それぞれの位置ＰＸでの時刻ｔは、ＴＸ（Ｘは整数）で表現されている。また、位置Ｐ９よりも後方に、自動運転の終了位置Ｆ１から所定の距離Ｋ（所定値）だけ離れた位置Ｆ２が存在するものとする。距離Ｋは、手動運転を開始させるための警報をするか否かを判定するために、予め設定された距離である。
【００７３】
時刻Ｔ９の場合、車両２は位置Ｐ９に存在する。位置Ｐ９から自動運転の終了位置Ｆ１までの距離Ｌ９は、位置Ｆ２から自動運転の終了位置Ｆ１までの距離Ｋ以下である。このため、警報部３０２は、通信を介して携帯端末４の画面に警報情報である画像Ｇ１を表示させる。ここでは、警報部３０２は、距離Ｌ９に基づいて定まる画像Ｇ１をコンテンツに重畳表示させている。画像Ｇ１には、自動運転終了までの時間（ここでは１０秒）が表示される。
【００７４】
時刻Ｔ１０になると、車両２は位置Ｐ１０に存在する。位置Ｐ１０から自動運転の終了位置Ｆ１までの距離Ｌ１０は、距離Ｋ以下である。このため、警報部３０２は、継続して、携帯端末４の画面に警報情報を表示させる。警報部３０２は、距離Ｌ１０に基づいて定まる画像Ｇ２をコンテンツに重畳表示させる。警報部３０２は、距離Ｌ１０に基づいて画像の種類を変更するだけでなく、距離Ｌ１０に基づいて画像の大きさを変更することができる。ここでは、警報部３０２は、通信を介して、ステアリング操作を開始させるための画像Ｇ２を警報情報として携帯端末４に表示させる。
【００７５】
警報情報の表示の終了については、図５，６で説明した場合と同様である。つまり、警報部３０２は、手動運転が開始された場合には、携帯端末４に警報情報の表示を終了させてもよいし、車両２から自動運転の終了位置Ｆ１までの距離が所定距離以下となった場合において手動運転が開始されないときには、自動運転が終了することを報知する画像を携帯端末４の画面に表示させてもよい。図７では、手動運転が開始されない場合における警報情報の表示終了を一例として示している。時刻Ｔ１１のときに車両２が位置Ｐ１１に存在する。そして、運転者は位置Ｐ１１においても、手動運転を開始していないとする。この場合、警報部３０２は、携帯端末４に画像Ｇ２の表示を終了させる。そして、警報部３０２は、自動運転が終了することを報知する画像Ｇ５を携帯端末４の画面に表示させる。なお、自動運転ＥＣＵ２０は、時刻Ｔ１１において車両２を緊急停止させてもよい。
【００７６】
以上のとおり、車両２の周辺環境情報に基づいて自動運転の終了位置Ｆ１が決定された場合であっても、警報部３０２は、図３に示す画像Ｇ１〜Ｇ４を、車両２から自動運転の終了位置Ｆ１までの距離ＬＸに応じて携帯端末４に表示させることができる。なお、距離ＬＸと車速とを用いて、車両２から自動運転の終了位置Ｆ１までの到達時間を算出し、図３に示す画像Ｇ１〜Ｇ４を、車両２から自動運転の終了位置Ｆ１までの到達時間に応じて携帯端末４に表示させてもよい。また、車両２の周辺環境情報に基づいて自動運転の終了位置Ｆ１が決定する場合には、判定結果によっては車両２の現在位置が自動運転の終了位置となり得る。この場合には、図３に示す画像Ｇ１〜Ｇ４を携帯端末４に表示させて続けてもよい。なお、画像Ｇ２〜Ｇ４は、いずれか一つが表示されればよい。
【００７７】
次に、手動運転判定部３０３の詳細について説明する。手動運転判定部３０３は、運転者が手動運転を開始したか否かを判定する。手動運転判定部３０３は、例えば、通信部２１により取得された携帯端末４における操作情報、アクセルペダルセンサ２５により検知されたアクセルペダルの踏み込み量、ブレーキペダルセンサ２６により検知されたブレーキペダルの踏み込み量、操舵センサ２７により検知された操舵トルク、ハンドルタッチセンサ２８により検知された圧力、ドライバモニタカメラ２９により撮像された画像又はこれらの組み合わせの情報を用いて、運転者が手動運転を開始したと判定してもよい。
【００７８】
具体的には、手動運転判定部３０３は、携帯端末４が受け付けた操作情報により携帯端末４の操作が終了したと判定できる場合には、運転者が手動運転を開始したと判定してもよい。あるいは、手動運転判定部３０３は、アクセルペダルの踏込み量が所定値以上である場合には、運転者が手動運転を開始したと判定してもよい。あるいは、手動運転判定部３０３は、ブレーキペダルの踏込み量が所定値以上である場合には、運転者が手動運転を開始したと判定してもよい。あるいは、手動運転判定部３０３は、操舵トルクが所定値以上である場合には、運転者が手動運転を開始したと判定してもよい。あるいは、手動運転判定部３０３は、ハンドルタッチ時の圧力が所定値以上である場合には、運転者が手動運転を開始したと判定してもよい。あるいは、手動運転判定部３０３は、運転者の撮像情報により運転者がハンドルを握り、車両２の前方を向いていると判定できる場合には、手動運転を開始したと判定してもよい。
【００７９】
あるいは、手動運転判定部３０３は、車両２の周辺環境情報に基づいて演算される規範運転操作と、運転者による運転操作とを比較し、比較結果に基づいて手動運転を開始したか否かを判定してもよい。規範運転操作とは、走行場面に対して運転者が行うべき操作、又は、走行場面に対して運転者が行うであろう操作である。例えば、規範運転操作は、車両２が道なりで走行する範囲内のステアリング操作、急カーブ手前におけるブレーキ操作又はカーブ方向へのステアリング操作、分岐・合流・レーン消失などのレーンチェンジが必要な場面又は障害物回避場面における必要な方向へのステアリング操作、又は、工事・渋滞箇所・自動車専用道路出口の手前におけるブレーキ操作（又はシフトダウン操作）などが含まれる。手動運転判定部３０３は、車両２の周辺環境情報に基づいて運転者が手動運転を開始した地点の車両前方の走行場面を認識し、規範運転操作を演算する。
【００８０】
そして、手動運転判定部３０３は、例えば、運転者による運転操作を各種センサより取得するとともに、規範運転操作と運転者による運転操作とを比較し、比較結果に基づいて手動運転を開始したか否かを判定する。手動運転判定部３０３は、例えば、運転者によるステアリング操作が、車両２が道なりで走行する範囲内のステアリング操作であれば、手動運転を開始したと判定する。また、ステアリング操作、ブレーキペダル操作又はアクセルペダル操作などの運転操作には、操作方向がある。このため、手動運転判定部３０３は、運転者による運転操作の操作方向が、規範運転操作の操作方向と一致する場合には、手動運転を開始したと判定してもよい。
【００８１】
次に、警報システム１の警報処理を説明する。図８は、第１実施形態に係る警報システムの警報処理を説明するフローチャートである。図８では、車両２の通信部２１と携帯端末４の通信部４０とが互いに通信可能な状態にされているものとする。
【００８２】
図８に示すように、警報ＥＣＵ３０の自動運転判定部３００は、ステップＳ１０として自動運転判定を行う。自動運転判定部３００は、例えば、自動運転ＥＣＵ２０が出力したフラグ情報に基づいて、車両２が自動運転を実行中であるか否かを判定する。自動運転判定部３００は、フラグ情報が「０」の場合、自動運転を実行中ではないと判定する。この場合、警報ＥＣＵ３０は、図８に示す処理を終了する。一方、自動運転判定部３００は、フラグ情報が「１」の場合、自動運転を実行中であると判定する。この場合、警報ＥＣＵ３０は、警報要否判定処理（ステップＳ１２）を行う。
【００８３】
警報ＥＣＵ３０の警報要否判定部３０１は、ステップＳ１２として警報要否判定を行う。警報要否判定部３０１は、車両２から自動運転の終了位置までの距離又は到達時間が所定値以下であるか否かを判定する。以下では、図４に示すように、車両２から自動運転の終了位置Ｆ１までの距離ＬＸを用いて判定する場合を例に説明する。また、ここでは一例として、所定値が１ｋｍに設定されているとする。警報要否判定部３０１は、車両２の位置情報及び地図情報、又は、周辺環境情報に基づいて、車両２の現在位置ＰＸ、車両２の自動運転の終了位置Ｆ１を導出する。ここでは、車両２の現在位置がＰ３であるとする。そして、警報要否判定部３０１は、車両２から自動運転の終了位置Ｆ１までの距離Ｌ３を算出する。そして、警報要否判定部３０１は、距離Ｌ３と所定値とを比較して、判定結果を出力する。例えば距離Ｌ３が１．５ｋｍであれば、警報要否判定部３０１は、車両２から自動運転の終了位置Ｆ１までの距離１．５ｋｍが所定値１ｋｍ以下でないと判定する。そして、図８に示す処理を終了する。一方、例えば距離Ｌ３が０．８ｋｍであれば、警報要否判定部３０１は、車両２から自動運転の終了位置Ｆ１までの距離０．８ｋｍが所定値１ｋｍ以下であると判定する。この場合、警報ＥＣＵ３０は、警報情報の生成処理（ステップＳ１４）を行う。
【００８４】
警報ＥＣＵ３０の警報部３０２は、ステップＳ１４として警報情報の生成又は取得を行う。警報部３０２は、例えば、車両２の現在位置又は車両２の前方の道路形状に基づいて、運転者が必要な運転操作を予測し、必要な運転操作に応じた警報情報を生成する。警報部３０２は、車両２が自動運転の終了位置に十分に近づいた場合には、自動運転の終了位置の道路形状に基づいて、運転者が必要な運転操作を予測し、必要な運転操作に応じた警報情報を生成してもよい。あるいは、警報部３０２は、例えば、参照可能な記憶装置に格納された警報情報を参照し、必要な運転操作に応じた警報情報を取得する。ここでは、ステアリング操作が必要である旨の警報情報が取得されたものとする。この場合、図３の（Ｂ）に示すように、警報部３０２は、ステアリング操作を促す画像Ｇ２を取得する。そして、警報ＥＣＵ３０は、警報情報の送信（ステップＳ１６）を行う。
【００８５】
警報ＥＣＵ３０の警報部３０２は、ステップＳ１６として警報情報を携帯端末４へ送信する。警報部３０２は、例えば、通信部２１を介して、ステップＳ１４で生成し又は取得した画像Ｇ２を携帯端末４へ送信する。そして、警報ＥＣＵ３０は、図８に示す処理を終了する。
【００８６】
携帯端末４の通信部４０は、ステップＳ１００として警報情報を受信する。通信部４０は、例えば、ステップＳ１６で送信された画像Ｇ２を受信する。そして、携帯端末４は、警報情報を受信すると、ステップＳ１０２として表示部４１に表示する。携帯端末４は、例えば、ステップＳ１００で受信した画像Ｇ２を表示する。携帯端末４は、例えば、表示されているコンテンツに重畳させて画像Ｇ２を表示する。これにより、位置Ｐ３において、警報情報である画像Ｇ２が携帯端末４の画面に表示される。携帯端末４は、警報情報を表示すると、図８に示す処理を終了する。
【００８７】
なお、図８では、車両２から自動運転の終了位置までの距離で警報の要否を判定する場合を例に説明したが、車両２から自動運転の終了位置までの到達時間で警報の要否を判定してもよい。
【００８８】
以上、警報ＥＣＵ３０では、警報要否判定部３０１により自動運転の終了位置Ｆ１までの距離ＬＸ又は到達時間が所定の距離Ｋ以下であると判定された場合に、警報部３０２により運転者に手動運転を開始させるための画像ＧＸを携帯端末４の画面に表示させる。このため、この警報ＥＣＵ３０は、画像ＧＸをダッシュボード固定のディスプレイなどにのみに表示する場合に比べて、携帯端末４に意識を集中させている運転者が手動運転の開始をしなければならない状況であることを気付き易くすることができる。
【００８９】
次に、警報システム１が警報情報の表示を更新する処理、及び、警報情報の表示を終了する処理を説明する。図９は、第１実施形態に係る警報システムの警報処理を説明するフローチャートである。図９では、図８の処理が完了し、携帯端末４の画面に警報情報が表示されているものとする。ここでは、図４〜図７に示す位置Ｐ３において、警報情報である画像Ｇ２が携帯端末４の画面に表示されている場合を例にして説明する。
【００９０】
警報ＥＣＵ３０の手動運転判定部３０３は、ステップＳ２０として、運転者が運転に復帰したか否かを判定する。つまり、手動運転判定部３０３は、ステップＳ２０として、運転者が手動運転を開始したか否かを判定する。例えば、図５に示す位置Ｐ６において、運転者がステアリングを掴んだとする。この場合、手動運転判定部３０３は、ハンドルタッチセンサ２８により検知された圧力が所定値以上でない場合には、運転者が手動運転を開始していないと判定する。あるいは、手動運転判定部３０３は、車両２の周辺環境情報に基づいて車両２の前方の走行場面を認識し、規範運転操作を演算する。ここでは、車両２の前方の道路がカーブであるとする。この場合、手動運転判定部３０３は、車両２の周辺環境情報に基づいてカーブの形状を認識し、カーブの形状に沿った規範となるステアリング操作を演算する。そして、手動運転判定部３０３は、操舵センサ２７の検出結果に基づいて、運転者が実際に行っているステアリング操作を取得する。そして、手動運転判定部３０３は、規範となるステアリング操作と運転者が実際に行っているステアリング操作とを比較し、比較結果に基づいて手動運転を開始したか否かを判定する。手動運転判定部３０３は、例えば、規範となるステアリング操作の操作方向と運転者によるステアリング操作の操作方向とが、同一であるか否かを判定する。手動運転判定部３０３は、同一でない場合には、運転者が手動運転を開始していないと判定する。
【００９１】
警報ＥＣＵ３０は、手動運転判定部３０３により運転者が手動運転を開始していないと判定された場合、警報情報の生成処理（ステップＳ２２）を行う。
【００９２】
警報ＥＣＵ３０の警報部３０２は、ステップＳ２２として警報情報の生成又は取得を行う。ステップＳ２２では、既に警報情報が携帯端末４の画面に表示されているため、警報部３０２は、更新用の警報情報を生成又は取得を行う。警報部３０２は、ステップＳ１４と同様に警報情報を生成する。ここでは、ステップＳ１４で警報部３０２がステアリング操作の画像を生成しているものとする。例えば、図４の位置Ｐ３にて、ステアリング操作の画像Ｇ２を生成し、携帯端末４の画面に表示されているとする。さらに、車両２は位置Ｐ３から位置Ｐ４へ移動したとする。警報部３０２は、車両２から自動運転の終了位置Ｆ１までの距離Ｌ４に基づいて、画像Ｇ２の大きさを変更する。例えば、警報部３０２は、距離ＬＸが短くなるほど大きさの大きい画像Ｇ２を記憶装置から取得する。あるいは、警報部３０２は、距離ＬＸが短くなるほど画像の大きさを大きく変更する係数を用いて、画像Ｇ２を生成してもよい。このように、警報部３０２は、位置Ｐ４において表示させる画像として、位置Ｐ３で表示させた画像Ｇ２よりも大きい画像Ｇ２を生成又は取得する。そして、警報ＥＣＵ３０は、警報情報の送信（ステップＳ２４）を行う。
【００９３】
警報ＥＣＵ３０の警報部３０２は、ステップＳ２４として警報情報を携帯端末４へ送信する。警報部３０２は、例えば、通信部２１を介して、ステップＳ２２で生成し又は取得した画像Ｇ２を携帯端末４へ送信する。携帯端末４の通信部４０は、ステップＳ１０４として警報情報を受信する。通信部４０は、例えば、ステップＳ２４で送信された画像Ｇ２を受信する。そして、携帯端末４は、警報情報を受信すると、ステップＳ１０６として表示部４１に表示する。携帯端末４は、例えば、ステップＳ１０４で受信した画像Ｇ２を表示する。携帯端末４は、例えば、表示されているコンテンツに重畳させて画像Ｇ２を表示する。これにより、図４に示すように、位置Ｐ４において、位置Ｐ３で表示された画像Ｇ２よりも大きな画像Ｇ２が携帯端末４の画面に表示される。このように、警報部３０２は、携帯端末４に表示される警報情報の表示度合いを変更する。
【００９４】
次に、警報ＥＣＵ３０の警報部３０２は、ステップＳ２６として警報情報の終了判定を行う。警報部３０２は、車両２から自動運転の終了位置までの距離又は到達時間が終了閾値以下であるか否かを判定する。警報ＥＣＵ３０は、警報部３０２が車両２から自動運転の終了位置までの距離又は到達時間が終了閾値以下でないと判定した場合には、ステップＳ２０に戻る。そして、手動運転判定部３０３は、運転者が運転に復帰したか否かを判定する。警報ＥＣＵ３０は、運転者が運転に復帰していない場合には、ステップＳ２２〜ステップＳ２６を実行する。このように、警報部３０２は、車両２から自動運転の終了位置までの距離又は到達時間が終了閾値以下でない場合であって、運転者が運転に復帰しない場合には、警報情報の表示度合いを大きくするように更新し、更新した警報情報を携帯端末４へ送信し、携帯端末４の表示部４１に表示させる。これにより、携帯端末４の表示部４１では、図４の位置Ｐ３〜位置Ｐ５に示すように、自動運転の終了位置Ｆ１に近づくに従って警報情報の表示度合いが大きくなる。
【００９５】
警報部３０２は、車両２から自動運転の終了位置Ｆ１までの距離又は到達時間が終了閾値以下となった場合には、警報表示終了指示の処理（ステップＳ２８）を行う。警報ＥＣＵ３０は、ステップＳ２８として携帯端末４へ警報表示を終了する指示を送信する。携帯端末４は、ステップＳ１０８として警報表示終了の指示を受信する。そして、携帯端末４は、ステップＳ１１０として表示部４１に表示していた警報情報の表示を終了する。これにより、例えば図５の位置Ｐ６に示すように、携帯端末４の表示部４１に表示されていた画像Ｇ２の表示が消える。
【００９６】
そして、警報部３０２は、ステップＳ３０として自動運転の終了を運転者に報知する。警報部３０２は、例えば、図６の位置Ｐ７に示すように、携帯端末４の画面に自動運転の終了を報知する画像Ｇ５を表示させる。そして、警報ＥＣＵ３０は、図８に示す処理を終了する。
【００９７】
一方、警報ＥＣＵ３０は、手動運転判定部３０３により運転者が手動運転を開始したと判定された場合、警報表示終了指示の処理（ステップＳ３２）を行う。警報ＥＣＵ３０は、ステップＳ３２として携帯端末４へ警報表示を終了する指示を送信する。携帯端末４は、ステップＳ１０８として警報表示終了の指示を受信する。そして、携帯端末４は、ステップＳ１１０として表示部４１に表示していた警報情報の表示を終了する。これにより、例えば図５の位置Ｐ６に示すように、携帯端末４の表示部４１に表示されていた画像Ｇ２の表示が消える。
【００９８】
以上で、警報ＥＣＵ３０は、図９に示す処理を終了する。図９に示す処理が実行されることにより、車両２が自動運転の終了位置Ｆ１に近づくに従って警報情報の表示が大きくなる。このため、本実施形態に係る警報ＥＣＵ３０によれば、携帯端末４に意識を集中させている運転者が手動運転の開始をしなければならない状況であることを、車両２が自動運転の終了位置Ｆ１へ近づくほど気付き易くすることができる。
【００９９】
また、本実施形態に係る警報部３０２によれば、手動運転判定部３０３により運転者が手動運転を開始したと判定された場合には、携帯端末４の警報情報の表示を終了させるため、手動運転を開始した運転者にとって不要な警報情報の表示を終了させることができる。
【０１００】
また、手動運転判定部３０３は、車両２の周辺環境情報に基づいて演算される規範運転操作と、運転者による運転操作とを比較し、比較結果に基づいて手動運転を開始したか否かを判定する。このため、本実施形態に係る警報ＥＣＵ３０によれば、運転者による手動運転が規範運転操作に照らして適切に行われていることを判定することができるので、例えば誤操作により運転者が手動運転を開始したと判定し、警報情報の表示を終了させることを回避することができる。
【０１０１】
［第２実施形態］
次に、第２実施形態に係る警報システム１Ａについて説明する。第２実施形態に係る警報システム１Ａは、第１実施形態に係る警報システム１と比べて、車両２の警報ＥＣＵ３０の機能が携帯端末４Ａ側にある点で相違する。
【０１０２】
最初に、第２実施形態に係る警報システム１Ａの構成を説明する。図１０は、第２実施形態に係る警報システム１Ａの構成を示すブロック図である。図１０に示すように、車両２Ａは、第１実施形態で説明した車両２Ａの構成から警報ＥＣＵ３０を除いた構成である。また、携帯端末４Ａは、第１実施形態で説明した携帯端末４の構成に警報ＥＣＵ３０に相当する制御部３０Ａを追加した構成である。
【０１０３】
制御部３０Ａは、自動運転判定部３００Ａ、警報要否判定部（判定部）３０１Ａ、警報部（警報部）３０２Ａ及び手動運転判定部３０３Ａを備えている。
【０１０４】
自動運転判定部３００Ａは、車両２Ａが自動運転を実行中であるか否かを判定する。具体的には、自動運転判定部３００Ａは、自動運転を実行中であるか否かを特定することができる情報を、通信部４０を介して車両２Ａから取得する。その他の機能は、第１実施形態で説明した自動運転判定部３００と同一である。自動運転判定部３００Ａは、判定結果を警報要否判定部３０１Ａに出力する。
【０１０５】
警報要否判定部３０１Ａは、車両２Ａの自動運転中に、警報の要否を判定する。警報要否判定部３０１Ａは、判定に用いられる情報を、通信部４０を介して車両２Ａから取得する。その他の機能は、第１実施形態で説明した警報要否判定部３０１と同一である。
【０１０６】
警報部３０２Ａは、警報要否判定部３０１Ａにより自動運転の終了位置までの距離又は到達時間が所定値以下であると判定された場合に、運転者に手動運転を開始させるための警報情報を携帯端末４Ａの表示部４１（画面）に表示させる。警報部３０２Ａは、警報情報を車両２Ａから取得してもよいし、他の記憶装置から取得してもよい。その他の機能は、第１実施形態で説明した警報部３０２と同一である。
【０１０７】
手動運転判定部３０３Ａは、運転者が手動運転を開始したか否かを判定する。手動運転判定部３０３Ａは、判定に用いられる情報を、通信部４０を介して車両２Ａから取得する。その他の機能は、第１実施形態で説明した手動運転判定部３０３と同一である。
【０１０８】
次に、警報システム１Ａの警報処理を説明する。図１１は、第２実施形態に係る警報システム１Ａの警報処理を説明するフローチャートである。図１１では、車両２Ａの通信部２１と携帯端末４Ａの通信部４０とが互いに通信可能な状態にされているものとする。
【０１０９】
図１１に示すように、携帯端末４Ａの自動運転判定部３００Ａは、ステップＳ１１０として自動運転判定を行う。自動運転判定部３００Ａは、例えば、自動運転ＥＣＵ２０が出力したフラグ情報を車両２Ａから取得し、車両２Ａが自動運転を実行中であるか否かを判定する。判定方法は、ステップＳ１０と同一である。制御部３０Ａは、自動運転判定部３００Ａにより自動運転が実行中ではないと判定された場合、図１１に示す処理を終了する。一方、制御部３０Ａは、自動運転判定部３００Ａにより自動運転が実行中であると判定された場合、警報要否判定処理（ステップＳ１１２）を行う。
【０１１０】
制御部３０Ａの警報要否判定部３０１Ａは、ステップＳ１１２として警報要否判定を行う。警報要否判定部３０１Ａは、通信部４０を介して車両２Ａから情報を取得して、車両２Ａから自動運転の終了位置までの距離又は到達時間が所定値以下であるか否かを判定する。判定方法は、ステップＳ１２と同一である。制御部３０Ａは、警報要否判定部３０１Ａにより車両２Ａから自動運転の終了位置Ｆ１までの距離が所定値以下でないと判定された場合、図１１に示す処理を終了する。一方、制御部３０Ａは、警報要否判定部３０１Ａにより車両２Ａから自動運転の終了位置Ｆ１までの距離が所定値以下であると判定された場合、警報情報の生成処理（ステップＳ１１４）を行う。
【０１１１】
制御部３０Ａの警報部３０２Ａは、ステップＳ１１４として警報情報の生成又は取得を行う。生成方法又は取得方法は、ステップＳ１４と同一である。そして、制御部３０Ａは、警報情報の表示（ステップＳ１１６）を行う。
【０１１２】
制御部３０Ａの警報部３０２Ａは、ステップＳ１１６として表示部４１に警報情報を表示する。携帯端末４Ａは、警報情報を表示すると、図１１に示す処理を終了する。
【０１１３】
以上、制御部３０Ａでは、警報要否判定部３０１Ａにより自動運転の終了位置までの距離又は到達時間が所定値以下であると判定された場合に、警報部３０２Ａにより運転者に手動運転を開始させるための画像を運転者の携帯端末４Ａの画面に表示させる。このため、この制御部３０Ａは、警報情報をダッシュボード固定のディスプレイなどにのみに表示する場合に比べて、携帯端末４に意識を集中させている運転者が手動運転の開始をしなければならない状況であることを気付き易くすることができる。
【０１１４】
次に、警報システム１Ａが警報情報の表示を更新する処理、及び、警報情報の表示を終了する処理を説明する。図１２は、第２実施形態に係る警報システム１Ａの警報処理を説明するフローチャートである。図１２では、図１１の処理が完了し、携帯端末４Ａの画面に警報情報が表示されているものとする。ここでは、図４〜図７に示す位置Ｐ３において、警報情報である画像Ｇ２が携帯端末４Ａの画面に表示されている場合を例にして説明する。
【０１１５】
制御部３０Ａの手動運転判定部３０３Ａは、ステップＳ１２０として、運転者が運転に復帰したか否かを判定する。手動運転判定部３０３Ａは、通信部４０を介して車両２Ａから情報を取得して、運転者が手動運転を開始したか否かを判定する。判定方法は、ステップＳ２０と同一である。制御部３０Ａは、手動運転判定部３０３Ａにより運転者が手動運転を開始していないと判定された場合、警報情報の生成処理（ステップＳ１２２）を行う。
【０１１６】
制御部３０Ａの警報部３０２Ａは、ステップＳ１２２として警報情報の生成又は取得を行う。ステップＳ１２２では、既に警報情報が携帯端末４Ａの画面に表示されているため、警報部３０２Ａは、更新用の警報情報を生成又は取得を行う。警報情報の生成又は取得については、ステップＳ２２と同一である。そして、制御部３０Ａは、警報情報の表示（ステップＳ１２４）を行う。
【０１１７】
制御部３０Ａの警報部３０２Ａは、ステップＳ１２４として警報情報を携帯端末４の表示部４１に表示させる。携帯端末４Ａは、例えば、表示されているコンテンツに重畳させて警報情報である画像を表示する。
【０１１８】
次に、制御部３０Ａの警報部３０２Ａは、ステップＳ１２６として警報情報の表示の終了判定を行う。警報部３０２Ａは、通信部４０を介して車両２Ａから情報を取得して、車両２から自動運転の終了位置までの距離又は到達時間が終了閾値以下であるか否かを判定する。制御部３０Ａは、警報部３０２Ａが車両２から自動運転の終了位置までの距離又は到達時間が終了閾値以下でないと判定した場合には、ステップＳ１２０に戻る。そして、手動運転判定部３０３Ａは、運転者が運転に復帰したか否かを判定する。制御部３０Ａは、運転者が運転に復帰していない場合には、ステップＳ１２２〜ステップＳ１２６を実行する。このように、警報部３０２Ａは、車両２Ａから自動運転の終了位置までの距離又は到達時間が終了閾値以下でない場合であって、運転者が運転に復帰しない場合には、警報情報の表示度合いを大きくするように更新して携帯端末４Ａの表示部４１に表示させる。
【０１１９】
警報部３０２Ａは、車両２Ａから自動運転の終了位置までの距離又は到達時間が終了閾値以下となった場合には、ステップＳ１２８として警報情報の表示を終了する。そして、警報部３０２Ａは、ステップＳ１３０として自動運転の終了を運転者に報知する。そして、制御部３０Ａは、図１２に示す処理を終了する。
【０１２０】
一方、制御部３０Ａは、手動運転判定部３０３Ａにより運転者が手動運転を開始したと判定された場合、ステップＳ１３２として警報情報の表示を終了し、図１２に示す処理を終了する。
【０１２１】
以上で、制御部３０Ａは、図１２に示す処理を終了する。図１２に示す処理が実行されることにより、車両２Ａが自動運転の終了位置に近づくに従って警報情報の表示が大きくなる。このため、本実施形態に係る制御部３０Ａによれば、携帯端末４Ａに意識を集中させている運転者が手動運転の開始をしなければならない状況であることを、車両２Ａが自動運転の終了位置へ近づくほど気付き易くすることができる。
【０１２２】
また、本実施形態に係る警報部３０２Ａによれば、手動運転判定部３０３Ａにより運転者が手動運転を開始したと判定された場合には、携帯端末４Ａの警報情報の表示を終了させるため、手動運転を開始した運転者にとって不要な警報情報の表示を終了させることができる。
【０１２３】
また、手動運転判定部３０３Ａは、車両２Ａの周辺環境情報に基づいて演算される規範運転操作と、運転者による運転操作とを比較し、比較結果に基づいて手動運転を開始したか否かを判定する。このため、本実施形態に係る制御部３０Ａによれば、運転者による手動運転が規範運転操作に照らして適切に行われていることを判定することができるので、例えば誤操作により運転者が手動運転を開始したと判定し、警報情報の表示を終了させることを回避することができる。
【０１２４】
以上、前述した各実施形態は、本発明に係る警報システムの一実施形態であり、本発明に係る警報システムは上記各実施形態に記載された内容に限定されない。
【０１２５】
例えば、前述した各実施形態では、自動運転の終了位置までの距離又は到達時間を用いて警報情報の表示度合いを変更する例を説明したが、警報システムは、手動運転を開始しない場合における危険度をさらに考慮して、警報情報の表示度合いを変更してもよい。例えば、警報システムは、危険度が大きい場合には、警報情報の表示度合いを大きくする。これにより、警報システムは、携帯端末４Ａに意識を集中させている運転者が手動運転の開始をしなければならない状況であることを、危険度が高い状況ほど気付き易くすることができる。
【０１２６】
また、前述した第１実施形態では、警報ＥＣＵ３０は自動運転判定部３００及び手動運転判定部３０３を有する例を説明したが、警報ＥＣＵ３０は、少なくとも警報要否判定部３０１及び警報部３０２を備えていればよい。同様に、前述した第２実施形態では、制御部３０Ａは自動運転判定部３００Ａ及び手動運転判定部３０３Ａを有する例を説明したが、制御部３０Ａは、少なくとも警報要否判定部３０１Ａ及び警報部３０２Ａを備えていればよい。
【０１２７】
また、前述した第２実施形態では、携帯端末４Ａが第１実施形態に係る警報ＥＣＵ３０の各機能の全てを実行可能に構成された場合を説明したが、携帯端末４Ａが第１実施形態に係る警報ＥＣＵ３０の各機能の一部を実行可能に構成された場合であってもよい。つまり、本発明の警報システムは、車両２及び携帯端末４の何れか一方が、第１実施形態で説明された自動運転判定部３００、警報要否判定部３０１、警報部３０２及び手動運転判定部３０３を備えていればよく、これらの構成要素の配置に限定されるものではない。
【０１２８】
また、前述した各実施形態では、警報ＥＣＵ３０の取得する車両の周辺環境情報には路車間通信により得られる情報（インフラ情報）が含まれる例を説明したが、車両２の位置情報又は地図情報をインフラ情報から取得してもよい。さらに、前述した第１実施形態では、警報ＥＣＵ３０と携帯端末４とが通信して、携帯端末４の画面に警報情報を表示する例を説明したが、インフラ装置（不図示）と携帯端末４とが通信して、携帯端末４の画面に警報情報を表示してもよい。この場合、インフラ装置及び携帯端末４の何れか一方が、第１実施形態で説明された自動運転判定部３００、警報要否判定部３０１、警報部３０２及び手動運転判定部３０３を備えていればよい。
【０１２９】
また、前述した各実施形態では、警報情報として、ステアリング操作、アクセル操作及びブレーキ操作に関する情報を含む例を説明したが、運転者が周囲の安全を確認する運転者確認行動に関する情報をさらに含んでもよい。この場合、警報装置は、運転者が運転者確認行動を開始したか否かを判定する行動判定部を備えてもよい。例えば、行動判定部は、運転者を監視するドライバモニタカメラ２９により取得された画像などを用いて、運転者が運転者確認行動を開始したか否かを判定してもよい。そして、警報部は、行動判定部により運転者が運転者確認行動を開始したと判定された場合には、携帯端末の警報情報の表示を終了させてもよい。このように構成した場合であっても、携帯端末に意識を集中させている運転者が手動運転の開始をしなければならない状況であることを気付き易くすることができるとともに、運転者が運転を開始した場合には警報を終了させることができる。
【０１３０】
また、本開示は、以下の項目に記載の警報装置、警報システム及び携帯端末を含む。
【０１３１】
［項目１］
自動運転を行う車両の運転者が運転席で使用する携帯端末と通信可能に構成され、携帯端末を用いて運転者に警報を行う車両の警報装置であって、
自動運転中に、車両の位置情報及び地図情報、又は、車両の周辺環境情報に基づいて、車両から自動運転の終了位置までの距離又は到達時間が所定値以下であるか否かを判定する判定部と、
判定部により、車両から自動運転の終了位置までの距離又は到達時間が所定値以下であると判定された場合に、運転者に手動運転を開始させるための警報情報を携帯端末の画面に表示させる警報部と、を備える警報装置。
【０１３２】
［項目２］
警報情報は、ステアリング操作、アクセル操作又はブレーキ操作に関する情報を含む項目１に記載の警報装置。
【０１３３】
［項目３］
警報部は、車両から自動運転の終了位置までの距離又は到達時間が短くなるほど表示度合いが大きくなるように警報情報を携帯端末の画面に表示させる項目１又は２に記載の警報装置。
【０１３４】
［項目４］
運転者が手動運転を開始したか否かを判定する手動運転判定部を備え、
警報部は、手動運転判定部により運転者が手動運転を開始したと判定された場合には、携帯端末の警報情報の表示を終了させる項目１〜３の何れか一項に記載の警報装置。
【０１３５】
［項目５］
手動運転判定部は、車両の周辺環境情報に基づいて演算される規範運転操作と、運転者による運転操作とを比較し、比較結果に基づいて運転者が手動運転を開始したか否かを判定する項目４に記載の警報装置。
【０１３６】
［項目６］
自動運転を行う車両の運転者が運転席で使用する携帯端末と、携帯端末と通信可能に構成され、携帯端末を用いて運転者に警報を行う車両の警報装置と、を備える警報システムであって、
自動運転中に、車両の位置情報及び地図情報、又は、車両の周辺環境情報に基づいて、車両から自動運転の終了位置までの距離又は到達時間が所定値以下であるか否かを判定する判定部と、
判定部により、車両から自動運転の終了位置までの距離又は到達時間が所定値以下であると判定された場合に、運転者に手動運転を開始させるための警報情報を携帯端末の画面に表示させる警報部と、を有する警報システム。
【０１３７】
［項目７］
自動運転を行う車両と通信可能に構成され、画面を有し、車両の運転者が運転席で使用する携帯端末であって、
自動運転中の車両との通信を介して、車両の位置情報及び地図情報、又は、車両の周辺環境情報に基づいて、車両から自動運転の終了位置までの距離又は到達時間が所定値以下であるか否かを判定する判定部と、
判定部により、車両から自動運転の終了位置までの距離又は到達時間が所定値以下であると判定された場合に、車両の運転者に手動運転を開始させるための警報情報を画面に表示させる警報部と、を備える携帯端末。
【符号の説明】
【０１３８】
１，１Ａ…警報システム、２，２Ａ…車両、４，４Ａ…携帯端末、３０…警報ＥＣＵ、３０Ａ…制御部、４１…表示部、３０１…警報要否判定部（判定部）３０２…警報部。
【図１】
2018132533.tif 000003
【図２】
2018132533.tif 000004
【図３】
2018132533.tif 000005
【図４】
2018132533.tif 000006
【図５】
2018132533.tif 000007
【図６】
2018132533.tif 000008
【図７】
2018132533.tif 000009
【図８】
2018132533.tif 000010
【図９】
2018132533.tif 000011
【図１０】
2018132533.tif 000012
【図１１】
2018132533.tif 000013
【図１２】
2018132533.tif 000014